(57)【要約】  肺容量減少用デバイスを埋め込むためのシステムで使用するのに適したガイドワイヤは、近位端部および遠位端部を有し、近位区分、移行区分、および遠位区分を備える外側シースであって、近位区分が、外側シースの近位端部から移行区分まで延在し、遠位区分が、移行区分から外側シースの遠位端部まで延在しており、遠位区分が、移行区分から外側シースの遠位端部まで延在しているボアを画定している外側シースと、近位端部および遠位端部を有する内側コアであって、内側コアが、外側シースの遠位区分のボアを通って延びており、内側コアが、移行区分で外側シースに固定されており、内側コアの遠位端部が、シースの遠位端部で外側シースの遠位端部に固定されている内側コアとを備える。【選択図】図７
2019532720.tif 000002
【特許請求の範囲】
【請求項１】
近位端部および遠位端部を有し、近位区分、移行区分、および遠位区分を備える外側シースであって、
前記近位区分が、前記外側シースの前記近位端部から前記移行区分まで延在し、前記遠位区分が、前記移行区分から前記外側シースの前記遠位端部まで延在しており、
前記遠位区分が、前記移行区分から前記外側シースの前記遠位端部まで延在しているボアを画定している、
外側シースと、
近位端部および遠位端部を有する内側コアであって、
前記内側コアが、前記外側シースの前記遠位区分の前記ボアを通って延びており、
前記内側コアが、前記移行区分で前記外側シースに固定されており、
前記内側コアの前記遠位端部が、前記シースの前記遠位端部で前記外側シースの前記遠位端部に固定されている、
内側コアと
を備える、ガイドワイヤ。
【請求項２】
前記外側シースの前記近位区分が、前記シースの前記近位端部から前記移行区分まで延在しているボアを画定している、請求項１に記載のガイドワイヤ。
【請求項３】
前記外側シースの前記近位区分の前記ボアが、前記シースの前記近位端部と前記移行区分との間で実質的に遮られていない、請求項２に記載のガイドワイヤ。
【請求項４】
前記外側シースの前記近位区分および前記外側シースの前記遠位区分が、コイルを備える、請求項１、２、または３に記載のガイドワイヤ。
【請求項５】
前記外側シースの前記近位区分を備える前記コイルが、前記外側シースの前記遠位区分を備える前記コイルとは異なる機械的特性を有する、請求項４に記載のガイドワイヤ。
【請求項６】
前記外側シースの前記近位区分を備える前記コイルが、トルク伝達用に構成されたスパンコイルである、請求項５に記載のガイドワイヤ。
【請求項７】
前記移行区分が、前記外側シースの前記近位区分および遠位区分を備える前記コイルが固定されるアダプタを備える、請求項４、５、または６に記載のガイドワイヤ。
【請求項８】
前記移行区分が、前記外側シースの前記近位区分を備える前記コイルの開端部の中に挿入し、そこに固定するための近位ピン延長部と、前記外側シースの前記遠位区分を備える前記コイルの開端部の中に挿入し、そこに固定するための遠位ピン延長部であって、前記内側コアを受容して、固定するためのボアをさらに備える前記遠位ピン延長部とを有する円筒形本体を備える、請求項７に記載のガイドワイヤ。
【請求項９】
前記内側コアの前記近位端部が、前記移行区分で前記外側シースに固定される、請求項１から８のいずれかに記載のガイドワイヤ。
【請求項１０】
前記外側シースの前記遠位端部および前記内側コアの前記遠位端部が、ボール構造に固定される、請求項１から９のいずれかに記載のガイドワイヤ。
【請求項１１】
前記内側コアが、前記近位端部および遠位端部の間にある平らな部分を有するワイヤを備える、請求項１から１０のいずれかに記載のガイドワイヤ。
【請求項１２】
前記ワイヤの前記近位端部および遠位端部が、実質的に同じ直径を有する、請求項１１に記載のガイドワイヤ。
【請求項１３】
前記外側シースが、患者の前記肺の気道の中への導入用カテーテルの中を通るように寸法が決められる、請求項１から１２のいずれかに記載のガイドワイヤ。
【請求項１４】
前記近位区分の前記近位端部に連結され、ユーザが前記近位区分にトルクを加えることを可能にするように構成された端部取付具をさらに備える、請求項１から１３のいずれかに記載のガイドワイヤ。
【請求項１５】
前記端部取付具が、前記近位区分の前記近位端部に永久的にまたは取り外し可能に連結されているハブを備える、請求項１４に記載のガイドワイヤ。
【請求項１６】
第１のカテーテル、請求項１から１５のいずれかに記載のガイドワイヤ、および第２のカテーテルを備えるシステムであって、前記第１のカテーテルが、患者の前記肺の前記主要な気道の中に導入するために構成され、前記ガイドワイヤが、前記第１のカテーテルのルーメンから、さらに前記患者の前記肺の中の所定の気道の中に前進させられるように構成され、前記第２のカテーテルが、前記第１のカテーテルの前記ルーメンの中を通って、前記ガイドワイヤの上で前記患者の前記肺の前記所定の気道の中に前進させられるように構成される、システム。
【請求項１７】
前記第２のカテーテルのルーメンの中を通して送達して、前記患者の前記肺の前記所定の気道の中に配備するために構成された埋込物をさらに備える、請求項１６に記載のシステム。
【請求項１８】
肺容量減少用埋込物を、請求項１７に記載のシステムを使用して、患者の肺の所定の気道の中に配備する方法であって、
前記第１のカテーテルおよび前記ガイドワイヤを前記肺の主要な気道の中に前進させることと、
前記第２のカテーテルおよびガイドワイヤを前記第１のカテーテルの前記ルーメンの中に通して前進させることと、
前記ガイドワイヤを前記第２のカテーテルの前記ルーメンから前進させて、前記外側シースの前記遠位端部を前記所定の気道の方向に向けるように、前記外側シースの前記近位端部を回転させることによって前記ガイドワイヤの前記遠位端部をさらに前記所定の気道の中に導くことと、
前記ガイドワイヤを前記第２のカテーテルから引き出すことと、
肺容量減少用埋込物を前記第２のカテーテルの前記ルーメンの中に通して前進させて、前記埋込物を前記所定の気道の中に配備することと
を含む、方法。
【請求項１９】
患者の前記肺の前記主要な気道の中に導入するために構成された第１のカテーテルと、
前記第１のカテーテルの前記ルーメンの中に通して、さらに前記患者の前記肺の中の所定の気道の中に前進可能であるように構成された第２のカテーテルと、
請求項１から１８のいずれかに記載され、前記第２のカテーテルのルーメンの中に通し、さらに前記所定の気道の中に前進させられるように構成されたガイドワイヤと
を備え、
前記第２のカテーテルが、前記ガイドワイヤの上で、さらに前記患者の前記肺の前記所定の気道の中にさらに前進可能であるように構成される、
システム。
【請求項２０】
前記第２のカテーテルのルーメンの中を通して送達して、前記患者の前記肺の前記所定の気道の中に配備するために構成された埋込物をさらに備える、請求項１９に記載のシステム。
【請求項２１】
肺容量減少用埋込物を、請求項２０に記載のシステムを使用して、患者の肺の所定の気道の中に配備する方法であって、
前記第１のカテーテルを前記肺の主要な気道の中に前進させることと、
前記第２のカテーテルおよびガイドワイヤを、前記肺の所定の気道の中に延びるように、前記第１のカテーテルの前記ルーメンの中に通して前進させることと、
前記ガイドワイヤを前記第２のカテーテルの前記ルーメンからさらに前進させて、前記外側シースの前記遠位端部を前記所定の気道の方向に向けるように、前記外側シースの前記近位端部を回転させることによって前記ガイドワイヤの前記遠位端部をさらに前記所定の気道の中に導くことと、
前記第２のカテーテルを前記ガイドワイヤの上で、さらに前記所定の気道の中にさらに前進させることと、
前記ガイドワイヤを前記第２のカテーテルから引き出すことと、
肺容量減少用埋込物を前記第２のカテーテルの前記ルーメンの中に通して前進させて、前記埋込物を前記所定の気道の中に配備することと
を含む、方法。
【発明の詳細な説明】
【技術分野】
【０００１】
本発明は、肺容量減少術用埋込物の配備に使用するのに適したガイドワイヤに関する。
【背景技術】
【０００２】
慢性閉塞性肺疾患では、肺の或る部分の組織の損傷により、肺の正常な筋膨張および筋収縮の有効性が低下することを意味する。この状況を改善する１つの方法は、残りの組織がより正常に機能し得るように、病変組織が、圧縮または圧壊される肺容量減少術である。肺容量減少術の１つの形態では、１つまたは複数の細長いばね埋込物が、病変肺組織内の気道の中に配備され、収縮することができ、それらが収縮する際に病変組織を縮めて集めることができる。そのような治療用の埋込物およびシステムは、ＷＯ２００７／１０６４９５およびＷＯ２０１０／０３０９９３で開示されている。両方の事例では、埋込物は、カテーテルシステムから気道の中に配備される。肺の気道は、高度に分岐し、かつ蛇行しているので、肺組織は、損傷を受け易い可能性がある。したがって、ガイドワイヤは、治療される気道までの経路を決めるために使用され、埋込物の送達用カテーテルは、ガイドワイヤの上で前進させられ、次いで、埋込物が、適切に配置されたカテーテルの中を通って配備され得るように、取り外される。
【０００３】
ガイドワイヤは、カテーテルから気道の中へ押し出されて、それが、所望の方向に前進するように、回転されることが可能でなければならず、一方同時に、送達カテーテルが、埋込物を適切に送達させるため肺の中に前進させられために、ガイドワイヤの上に適合することができるように、十分に小さくなければならない。圧縮と捻れが組み合わさることに因って捩れる可能性を減らすために、外側コイルシースの中を通って延びている内側コアを備える複合構造が、ガイドワイヤに対して提案されてきた。ガイドワイヤをカテーテルの中を通して前進させることを可能にするために、コアの近位部分は、肺組織に損傷を与えることなく気道の中を通って導かれるのに必要な可撓性を提供するために薄くなっている遠位部分と比較して厚くなっている。この結果、必要な方向に遠位端部を操縦するために、ガイドワイヤの近位端部にトルクを加えることで、コアとコイルとの間に有意なワインドアップが生じ、遠位端部の正確な制御を困難にする可能性がある。
【０００４】
本発明は、システムに必要な可撓性を保持しながら、遠位端部のより正確な制御を提供する方法についての問題を対処しようと試みるものである。
【発明の概要】
【０００５】
本発明のさまざまな態様は、コイルなどの、肺容量減少用埋込物の配備で使用される改良ガイドワイヤに関する。１つの態様は、近位端部および遠位端部を有し、近位区分、移行区分、および遠位区分を備える外側シースであって、近位区分が、外側シースの近位端部から移行区分まで延在し、遠位区分が、移行区分から外側シースの遠位端部まで延在しており、遠位区分が、移行区分から外側シースの遠位端部まで延在しているボアを画定している外側シースと、近位端部および遠位端部を有する内側コアであって、内側コアが、外側シースの遠位区分のボアを通って延びており、内側コアが、移行区分で外側シースに固定されており、内側コアの遠位端部が、シースの遠位端部で外側シースの遠位端部に固定されている内側コアとを備える、ガイドワイヤを提供する。
【０００６】
移行区分で内側コアを外側シースに固定することによって、コアが、シースの全長に延びている必要はなく、したがって、異なる物理的特性をシースの近位区分および遠位区分に提供することが可能になる。
【０００７】
１つの構成では、外側シースの近位区分は、シースの近位端部から移行区分まで延在しているボアを画定している。この場合、外側シースの近位区分のボアは、シースの近位端部と移行区分との間で実質的に遮られていないことが可能である。
【０００８】
外側シースの近位区分および外側シースの遠位区分は、コイルを備えることができる。この場合、外側シースの近位区分を備えるコイルは、外側シースの遠位区分を備えるコイルとは異なる機械的特性を有することができる。例えば、近位区分は、移行区分および遠位区分にトルクを加えるように構成されることができ、遠位区分は、可撓性用に構成されることができる。
【０００９】
移行区分は、外側シースの近位区分および遠位区分を備えるコイルが固定されるアダプタを備えることができる。１つの例では、移行区分は、外側シースの近位区分を備えるコイルの開端部の中に挿入し、そこに固定するための近位ピン延長部と、外側シースの遠位区分を備えるコイルの開端部の中に挿入し、そこに固定するための遠位ピン延長部であって、内側コアを受容して、固定するためのボアをさらに備える遠位ピン延長部とを有する円筒形本体を備える。この構成は、移行区分全体で外径を実質的に一定にすることができ、したがって、スナッギングを回避することの助けとなる。
【００１０】
内側コアの近位端部は、移行区分で外側シースに固定されることができる。外側シースの遠位端部および内側コアの遠位端部は、ボール構造に固定されることができる。したがって、構造の端部は、非外傷性形状を有することができ、したがって、それが前進させられる際に、肺組織への損傷を回避することができる。
【００１１】
内側コアは、近位端部および遠位端部の間にある平らな部分を有するワイヤを備えることができる。ワイヤの近位端部および遠位端部は、実質的に同じ直径を有することができる。このことは、単純なワイヤ構造から変更することが、１つの平面で優先的に曲がって、ガイドワイヤを肺気道の中を通して導くのを支援するコアを提供することを可能にする。
【００１２】
外側シースは、患者の肺の気道の中への導入用カテーテルの中を通るように寸法が決められる。
【００１３】
ガイドワイヤは、近位区分の近位端部に連結され、ユーザが近位区分にトルクを加えることを可能にするように構成された端部取付具をさらに備えることができる。端部取付具は、近位区分の近位端部に永久的にまたは取り外し可能に連結されているハブを備えることができる。
【００１４】
別の態様は、第１のカテーテル、上記で定義されているようなガイドワイヤ、および第２のカテーテルを備えるシステムを提供し、第１のカテーテルが、患者の肺の主要な気道の中に導入するために構成され、ガイドワイヤが、第１のカテーテルのルーメンから、さらに患者の肺の中の所定の気道の中に前進させられるように構成され、第２のカテーテルが、第１のカテーテルのルーメンの中を通って、ガイドワイヤの上で患者の肺の所定の気道の中に前進させられるように構成される。システムは、第２のカテーテルのルーメンの中を通して送達して、患者の肺の所定の気道の中に配備するために構成された埋込物をさらに備えることができる。
【００１５】
別の態様は、患者の肺の所定の気道の中に肺容量減少用埋込物を配備する方法を提供し、方法は、第１のカテーテルおよびガイドワイヤを肺の主要な気道の中に前進させることと、第２のカテーテルおよびガイドワイヤを第１のカテーテルのルーメンの中に通して前進させることと、ガイドワイヤを第２のカテーテルのルーメンから前進させて、外側シースの遠位端部を所定の気道の方向に向けるように、外側シースの近位端部を回転させることによってガイドワイヤの遠位端部をさらに所定の気道の中に導くことと、ガイドワイヤを第２のカテーテルから引き出すことと、肺容量減少用埋込物を第２のカテーテルのルーメンの中に通して前進させて、埋込物を所定の気道の中に配備することとを含む。
【００１６】
別の態様は、患者の肺の主要な気道の中に導入するために構成された第１のカテーテルと、第１のカテーテルのルーメンの中に通して、さらに患者の肺の中の所定の気道の中に前進可能であるように構成された第２のカテーテルと、いずれかの前述の特許請求の範囲に従い、第２のカテーテルのルーメンの中に通し、さらに所定の気道の中に前進させられるように構成されたガイドワイヤとを備えるシステムを提供し、第２のカテーテルは、ガイドワイヤの上で、さらに患者の肺の所定の気道の中にさらに前進可能であるように構成される。システムは、第２のカテーテルのルーメンの中を通して送達して、患者の肺の所定の気道の中に配備するために構成された埋込物をさらに備えることができる。
【００１７】
別の態様は、患者の肺の所定の気道に肺容量減少用埋込物を配備する方法を提供し、方法は、第１のカテーテルを肺の主要な気道の中に前進させることと、第２のカテーテルおよびガイドワイヤを、肺の所定の気道の中に延びるように、第１のカテーテルのルーメンの中に通して前進させることと、ガイドワイヤを第２のカテーテルのルーメンからさらに前進させて、外側シースの遠位端部を所定の気道の方向に向けるように、外側シースの近位端部を回転させることによってガイドワイヤの遠位端部をさらに所定の気道の中に導くことと、第２のカテーテルをガイドワイヤの上で、さらに所定の気道の中にさらに前進させることと、ガイドワイヤを第２のカテーテルから引き出すことと、肺容量減少用埋込物を第２のカテーテルのルーメンの中に通して前進させて、埋込物を所定の気道の中に配備することとを含む。
【００１８】
本発明の他の態様は、以下の記述から明らかとなろう。
【図面の簡単な説明】
【００１９】
【図１】ヒトの呼吸器系を図示する。
【図２】ヒトの呼吸器系を図示する。
【図３】ガイドワイヤの一例を示す。
【図４】外側シースの遠位端部のさらなる詳細を示す。
【図５】移行区分のさらなる詳細を示す。
【図６】コアの遠位端部のさらなる詳細を示す。
【図７】遠位シース区分、コア、および移行区分を示す。
【図８】コアのさらなる詳細を示す。
【図９】肺容量減少用埋込物を設置するためのシステムを示す。
【図１０】埋込物の詳細を示す。
【図１１】埋込物の詳細を示す。
【図１２】埋込物の送達を図示する。
【図１３】図１２に図示された位置での埋込物の蛍光透視画像を示す。
【図１４】送達カテーテルが取り外される際の、肺の中の埋込物の蛍光透視画像を示す。
【図１５】埋込物の送達後のシステムを図示する。
【発明を実施するための形態】
【００２０】
図１および図２は、空気を鼻８または口９から主気管支１６の中に導く気管１２を含むヒトの呼吸器系を図示する。空気は、主気管支１６から肺２０に入る。図２に示されるように、主気管支１６は、二次気管支２２、三次気管支２４、細気管支２６、終末細気管支２８、そして最終的に肺胞３０に分岐する。
【００２１】
図３〜図８は、ガイドワイヤのさまざまな態様を図示する。図３は、近位区分４０、移行区分４２、および遠位区分４４を備える、ガイドワイヤの外側シースの概略図を示す。近位区分４０は、タイトピッチを有し、実質的に間隙のないスパンコイルで形成される。そのようなコイルの一例は、米国インディアナ州フォートウェインのＦｏｒｔ  Ｗａｙｎｅ  Ｍｅｔａｌｓから入手できるＨＨＳ（登録商標）（Ｈｅｌｉｃａｌ  Ｈｏｌｌｏｗ  Ｓｔｒａｎｄ）管である。およそ０．１７ｃｍ外径のコイル管を提供するのに、適切な管は、およそ０．０２９ｃｍ厚さの３０４Ｖ  Ｓｐｒｉｎｇ  Ｔｅｍｐｅｒステンレス鋼フィラメントの単層から形成され得る。近位区分４０は、長手方向沿いに実質的に一貫したトルク伝達および曲げ性能を提供するように、実質的に遮られていないボアを有することができる。遠位区分４４は、およそ０．０２５ｃｍ厚さの３０４Ｖ  Ｓｐｒｉｎｇ  Ｔｅｍｐｅｒステンレス鋼ワイヤなどの巻きコイルから形成される。遠位区分４４の遠位端部に近い短区分４６は、図４に示されるように、高い可撓性領域を提供するようによりゆるいピッチで巻き付けられている。近位区分および遠位区分４０、４４は、移行区分４２を用いて相互に連結されている。図５は、移行区分４２をさらに詳細に示す。移行区分４２は、反対端から同軸方向に延びる近位延長部および遠位延長部５０、５２を有する、実質的に円筒形の本体４８を備える。延長部５０、５２は、本体４８の外径と比べて外径が小さく、近位区分および遠位区分４０、４４のそれぞれのボアの内側に適合する大きさになっている。本体４８の外径は、近位区分および遠位区分４０、４４の外径と実質的に同じである。移行区分は、さらに、ステンレス鋼から作られて、溶接によって近位区分および遠位区分に連結されることができる。外側コイル管が、自然とわずかに曲がった構成になるように、偏向が、移行区分４２に提供されることができる。
【００２２】
ハブ５４は、ユーザが、それを用いてガイドワイヤにトルクを加えることができる近位区分４０の近位端部につけられる。ハブは、グルーイングなどによって永久的につけられることができる、または取り外し可能であり得る。ボール５６は、非外傷性表面を提供するために、遠位区分４４の遠位端部に溶接されることができる。近位区分４０は、ユーザが、ガイドワイヤを送達システムの中に挿入する程度を決めるのを支援するマーカ区分５８をさらに含むことができる。
【００２３】
コアは、図６および図７に示されるように、遠位区分４４を形成しているコイルの内部に設けられる。コアは、移行区分４２の遠位延長部５２の中のボア６１の一方の端部、およびボール５６の中のボアである他方の端部で連結されるワイヤ６０で形成される。ワイヤ６０は、両端部では実質的に円筒形であるが、好ましくは、それが平らな区分の平面に対して垂直な方向に曲がって、使用中に端部を操縦するのを支援するように、近位端部に近い位置６２で元のワイヤ直径の約半分の厚さまで平らにされている。図８に示されるように、一連のマーカ６４は、移行区分４２と平らな区分６２との間でコアに沿って配置される。マーカは、Ｐｔ／Ｉｒなどの、蛍光透視画像化システムで可視的な物質で作られることができる。
【００２４】
これらの図に示される構成では、遠位区分４４は、近位区分のおよそ半分の長さである。全長は、１２０ｃｍ程度であり得るが、要件によって他の長さおよび比率を使用することもできる。
【００２５】
図９〜図１５は、上述したガイドワイヤを使用しているシステムおよび方法を図示する。
【００２６】
図９のシステムは、ビデオ処理システム１０４に連結された遠位端部にカメラ１０２を有している気管支鏡カテーテル１００を含む気管支鏡を備える。送達カテーテル１０６は、気管支鏡カテーテル１００のルーメンの中を通って延びる。送達カテーテル１０６の遠位端部１０８には、蛍光透視画像化システム１１２で可視的なマーカ１１０が備わっている。上述された種類のガイドワイヤ１１４は、送達カテーテル１０６のルーメンの中を通って延び、遠位端部１０８から外に前進させられることができる。ガイドワイヤ１１４の端部は、マーカ１１６（上述されたマーカ６４に対応する）をさらに有する。拡張器１１８が、ガイドワイヤ１１４の外面と送達カテーテル１０６の外面との間での円滑な移行に耐えるために設けられ得る。
【００２７】
図９のシステムは、図１０および図１１に示される種類の埋込物と共に使用されるように意図されているが、他の形状が使用されてもよい。標準状態では、埋込物は、一連の湾曲した区分を備え、各曲線が、別々の軸を中心としている複雑な形状１２２を採用している細長い部材１２０を備える。埋込物１２０は、ニチノールワイヤから作られることができ、端部および１つまたは複数の長さマーカ（図示せず）の非外傷性終端を有することができる。送達では、埋込物１２０は、比較的に直線的な構成１２４に歪められて、送達カートリッジ１２６の中に拘束されている。
【００２８】
使用中、図９の気管支鏡カテーテル１００は、利用可能な長さの程度まで、または物理的サイズによって、肺組織を損傷しないさらなる挿入ができなくなるまで、患者の上気道の中に前進させられる。送達カテーテル１０６は、ガイドワイヤ１１４と共に、気管支鏡カテーテルのルーメンの中を通って、気道の中に前進させられる。ガイドワイヤ１１４は、次いで、遠位端部１０８から延びて、気道の中にさらに突き出るように、近位端部から送達カテーテル１０６に沿ってさらに前進させられる。マーク５８は、ガイドワイヤ１１４の遠位端部が、カテーテル１０８の遠位端部上になったときにそれを示すように、配置されることができる。ガイドワイヤ１１４が、さらに前進させられるとき、それは、ハブ５４にトルクを加えることによって操縦されることができ、偏向が、遠位端部を要求される方向に向けることを可能にし、可撓性区分４６および平らなコア区分６２が、気道の壁と接触すると、端部を要求される気道の中に緩やかに動かすことを可能にする。端部がこの視野から消えた後、進行は、気管支鏡の視野を介して、または遠隔蛍光透視画像化システム１１２を用いて監視されることができる。配備カテーテル１０６は、遠位端部１１８が、対象となる気道の中でガイドワイヤ１１４の遠位端部上、またはその近くになるまで、ガイドワイヤ１１４と共に前進させられることができる。
【００２９】
近位区分４０は、送達カテーテル１０６の遠位端部１１８を越えて延びるようには構成されていない。結果的に、近位区分４０は、気管支鏡カテーテル１００の中に送給されるのに必要な程度の可撓性に加えて、軸方向の圧縮およびトルク伝達のために構成されることができる。上述の例では、このことは、近位区分４０用のタイトピッチスパンコイル構造を用いて実現されている。コア６０がハブ５４まで延びる必要がないことで、近位区分４０は、先に提案された構造よりも高い可撓性を有することができ、したがって、カテーテル１０６の中により容易に挿入することを可能にする。マーカ５８は、ガイドワイヤ１１４の遠位端部が、送達カテーテル１０６の遠位端部１１８上、またはその近くにあることを示すように配置されることができ、さらなる進行が、画像化システム１０４、１１２の一方または他方を使用して監視されなければならないことをユーザに示す。
【００３０】
移行区分４２での偏位など、ガイドワイヤ構造に非対称を提供することによって、遠位端部は、軸外に導かれることができる。このことは、可撓領域４６およびコア６０の平らな部分６２と共に、遠位端部が、気道分岐点１２８に達するとき、トルクが、遠位端部を気道の中で半径方向に動かすために、ハブ５４に加えられることができ、平らな区分６２が、平らな区分６２の平面に垂直な平面の優先的な曲げを提供することを意味する。非外傷性ボール５８および可撓性端部４６を設けることは、気道組織が、組織を損傷することなく位置の制御ができるように、反応表面を設けることができることを意味する。
【００３１】
送達カテーテル１０６が適位置になれば、それは、固定されることができ、ガイドワイヤ１１４は、送達カテーテル１０６から引き出される。埋込物１２０を運んでいるカートリッジ１２６は、次いで、その場所に連結されることができ、埋込物１２０が、図１２に示すように着脱可能なコネクタ１３０を有する押出デバイスによって送達カテーテル１０６に沿って前進させられる。図１３は、送達カテーテル１０６の端部での埋込物１２０の遠隔画像化システム視野を示す。埋込物１２０は、押出デバイス１３０によって適所に保持され、送達カテーテル１０６は、引き出され、埋込物１２０が製造時の形状に戻ることを可能にし（図１４）、それがそうする際に、その領域の肺組織の容量を減少させる。埋込物１２０が完全に送達カテーテル１０６の外側になれば、コネクタ１３０は、切り離され（図１５）、気管支鏡および送達カテーテル１００、１０６は、肺から引き出されることができる。
【００３２】
本発明の範囲内で、他の変型例も可能である。
【図１】
2019532720.tif 000003
【図２】
2019532720.tif 000004
【図３】
2019532720.tif 000005
【図４】
2019532720.tif 000006
【図５】
2019532720.tif 000007
【図６】
2019532720.tif 000008
【図７】
2019532720.tif 000009
【図８】
2019532720.tif 000010
【図９】
2019532720.tif 000011
【図１０】
2019532720.tif 000012
【図１１】
2019532720.tif 000013
【図１２】
2019532720.tif 000014
【図１３】
2019532720.tif 000015
【図１４】
2019532720.tif 000016
【図１５】
2019532720.tif 000017
【国際調査報告】
2019532720.tif 000018
2019532720.tif 000019
2019532720.tif 000020
2019532720.tif 000021
2019532720.tif 000022